(57)【要約】【課題】開閉蓋体を補給直前に開蓋させて補給することで、肥料が雨に濡れ難いようにした施肥機を提供すること。【解決手段】施肥ホッパはホッパ本体にその上面の開口部を開閉蓋する開閉蓋体を回動自在に取り付けて形成するとともに、施肥ホッパの近傍には肥料袋を支持する支持体を配設した。肥料袋には肥料流出口を開口させて、肥料流出口からホッパ本体の開口部へ肥料を流出可能となる位置まで支持体を介して肥料袋が上昇回動される動作に、開閉蓋体が回動されて開蓋される動作を連動させた。【選択図】図６
2014183790.tif 000002
【特許請求の範囲】
【請求項１】
後方に植付装置を連結した走行装置に施肥ホッパを具備する施肥装置を載設した施肥機であって、
施肥ホッパはホッパ本体にその上面の開口部を開閉蓋する開閉蓋体を回動自在に取り付けて形成するとともに、施肥ホッパの近傍には肥料袋を支持する支持体を配設し、
肥料袋には肥料流出口を開口させて、肥料流出口からホッパ本体の開口部へ肥料を流出可能となる位置まで支持体を介して肥料袋が上昇回動される動作に、開閉蓋体が回動されて開蓋される動作を連動させたことを特徴とする施肥機。
【請求項２】
肥料袋の肥料流出口からホッパ本体の開口部へ肥料が流出可能となる位置まで上昇回動される動作に連動して、ホッパ本体の開口部が開閉蓋体により一部だけ開蓋された状態において、
開閉蓋体は、平面視にてホッパ本体の開口部の全面を閉塞するように形成したことを特徴とする請求項１記載の施肥機。
【請求項３】
ホッパ本体の側壁に支持体の上端縁部を水平な軸線廻りに回動自在に取り付けて、支持体の側縁中途部に突設したアーム片と開閉蓋体の自由端側部に突設したアーム片との間に連動リンクを介設して、支持体の上昇回動動作に、開閉蓋体の回動開蓋動作を連動させるようにしたことを特徴とする請求項１又は２記載の施肥機。
【請求項４】
開閉蓋体の自由端縁部に沿わせて切断案内体を設けるとともに、切断案内体に沿って切断工具を摺動させることで肥料袋に肥料流出口が切欠開口されるようにしたことを特徴とする請求項１〜３のいずれか１項記載の施肥機。
【請求項５】
ホッパ本体の開口部へ肥料を流出可能となる位置まで支持体を介して肥料袋が上昇回動された際に、肥料袋の肥料流出口は肥料袋の最下位置に配置されるようにしたことを特徴とする請求項４項記載の施肥機。
【発明の詳細な説明】
【技術分野】
【０００１】
本発明は、施肥機、詳しくは本機に設けた施肥装置への肥料補給時に肥料が雨に濡れ難いようにした施肥機に関する。
【背景技術】
【０００２】
従来、施肥機の一形態として特許文献１に開示されたものがある。すなわち、特許文献１には、走行部の後部において、左右方向に複数個の施肥ホッパを配設し、施肥ホッパの直前方にレールを配設するとともに、レールに肥料載台を施肥ホッパの直上方位置にて左右方向に移動可能に取り付けた構造が開示されている。特許文献１では、施肥ホッパの開閉蓋体を開蓋してホッパ本体の上面を開放し、かかる開放状態にて肥料載台に肥料袋を載置して、肥料袋の一側端縁部を切欠開口するとともに、ホッパ本体の直上方位置にて左右方向に適宜移動させることで肥料を楽に補給することができるようにしている。
【０００３】
また、施肥機の一形態として特許文献２に開示されたものがある。すなわち、特許文献２には、走行部の後部において、左右方向に複数個の施肥ホッパを配設し、施肥ホッパの直前方には運転席を配設している。そして、運転席は、左右方向にスライド移動自在となした座部と、座部の後部に取り付けた背もたれ部とを具備しており、背もたれ部は前方へ倒伏させた横臥状態と、座部の後部に起立させた状態とに変更自在となした構造が開示されている。特許文献２では、背もたれ部を前方へ倒伏させた横臥状態となして、かかる背もたれ部の背面上に肥料袋を載置し、施肥ホッパの開閉蓋体を開蓋してホッパ本体の上面を開放して、肥料袋の上端縁部を切欠開口するとともに、ホッパ本体の開口部に肥料を楽に補給することができるようにしている。この際、座部は適宜左右方向に移動させるようにしている。
【０００４】
また、施肥機の一形態として特許文献３に開示されたものがある。すなわち、特許文献３には、施肥ホッパの背後に左右方向に伸延するガイドレールを配設し、ガイドレールに支持杆を介して載置台を左右方向に移動自在に取り付けるとともに、載置台を縦向き非作用姿勢と横向き肥料供給姿勢とに姿勢変更可能となし、支持杆と載置台との間には屈折リンクを介設して、屈折リンクが横向き肥料供給姿勢となした載置台をその姿勢に維持するようにした構造が開示されている。また、開閉蓋体はホッパ本体の開口部を一部開口させた傾斜姿勢に保持させることができるようにしている。このように構成して、特許文献３では、ホッパ本体の開口部を一部開口させた傾斜姿勢にて開閉蓋体を保持させておき、同状態にて、載置台上に上端が開口された肥料袋を載置するとともに、屈折リンクにより横向き肥料供給姿勢に維持された載置台を横方向に移動させることで、各ホッパ本体内に肥料を補給することができるようにしている。
【先行技術文献】
【特許文献】
【０００５】
【特許文献１】特開平１０−３０４７２０号公報
【特許文献２】特開平１１−５６０５１号公報
【特許文献２】特開平５−３１６８１８号公報
【発明の概要】
【発明が解決しようとする課題】
【０００６】
上記した特許文献１,２では、比較的重量物である肥料袋を左右方向に移動自在に載置することができる補助手段としての肥料載台や運転席を設けているため、肥料の補給作業が楽に行えるが、かかる肥料補給作業時には開閉蓋体を全開蓋させて、ホッパ本体の上面開口部を大きく開放しておく必要性がある。すなわち、特許文献１では、上面開口部が開口されたホッパ本体の直上方位置にて肥料載台を左右方向に移動させるために、ホッパ本体の上面開口部を大きく開放しておく必要性がある。また、特許文献２では、作業者が肥料袋の切欠開口部を保持しながら開閉蓋体を必要量だけ開蓋状態に支持しなければならないという煩雑さがあるので、ホッパ本体の上面開口部を大きく開放しておく必要性がある。その結果、開閉蓋体を全開蓋させておく必要性のある特許文献１,２では、雨天時にはホッパ本体内に雨が入って肥料が濡れるという不具合がある。
【０００７】
また、特許文献３では、開閉蓋体を必要最小限である一部だけ開蓋させておくものであるが、一部とはいえ開閉蓋体を予め開蓋させておく必要性があるため、この場合も、雨天時にはホッパ本体内に雨が入って肥料が濡れるという不具合がある。
【０００８】
そこで、本発明は、肥料の補給に必要最小限の開蓋量だけ開閉蓋体を補給直前に開蓋させて補給することで、肥料が雨に濡れ難いようにした施肥機を提供することを目的とする。
【課題を解決するための手段】
【０００９】
請求項１記載の発明に係る施肥機は、後方に植付装置を連結した走行装置に施肥ホッパを具備する施肥装置を載設した施肥機であって、施肥ホッパはホッパ本体にその上面の開口部を開閉蓋する開閉蓋体を回動自在に取り付けて形成するとともに、施肥ホッパの近傍には肥料袋を支持する支持体を配設し、肥料袋には肥料流出口を開口させて、肥料流出口からホッパ本体の開口部へ肥料を流出可能となる位置まで支持体を介して肥料袋が上昇回動される動作に、開閉蓋体が回動されて開蓋される動作を連動させたことを特徴とする。
【００１０】
かかる施肥機では、肥料流出口からホッパ本体の開口部へ肥料を流出可能となる位置まで支持体を介して肥料袋を上昇回動させると、それに連動して開閉蓋体が回動されて開蓋される。つまり、開閉蓋体を補給直前に開蓋させて、ホッパ本体内に肥料を補給することができる。その結果、肥料補給時において、肥料袋から放出される肥料ないしはホッパ本体内に補給された肥料が雨に濡れ難いようにすることができる。しかも、肥料袋は支持体に支持されているため、楽に肥料の補給作業を行うことができる。
【００１１】
請求項２記載の発明に係る施肥機は、請求項１記載の発明に係る施肥機であって、肥料袋の肥料流出口からホッパ本体の開口部へ肥料が流出可能となる位置まで上昇回動される動作に連動して、ホッパ本体の開口部が開閉蓋体により一部だけ開蓋された状態において、開閉蓋体は、平面視にてホッパ本体の開口部の全面を閉塞するように形成したことを特徴とする。
【００１２】
かかる施肥機では、ホッパ本体の開口部が開閉蓋体により一部だけ開蓋された状態において、開閉蓋体が平面視にてホッパ本体の開口部の全面を閉塞するように形成されているため、肥料補給時において、肥料袋から放出される肥料ないしはホッパ本体内に補給された肥料がより一層雨に濡れ難いようにすることができる。
【００１３】
請求項３記載の発明に係る施肥機は、請求項１又は２記載の発明に係る施肥機であって、ホッパ本体の側壁に支持体の上端縁部を水平な軸線廻りに回動自在に取り付けて、支持体の側縁中途部と開閉蓋体の自由端側部に突設した支持アームとの間に連動リンクを介設して、支持体の上昇回動動作に、開閉蓋体の回動開蓋動作を連動させるようにしたことを特徴とする。
【００１４】
かかる施肥機では、支持体の上昇回動動作に、連動リンクを介して、開閉蓋体の回動開蓋動作を連動させることができるため、支持体を上昇回動させるだけで、それに伴って開蓋されたホッパ本体内に堅実に肥料を補給することができ、肥料の補給作業能率を向上させることができる。
【００１５】
請求項４記載の発明に係る施肥機は、請求項１〜３のいずれか１項記載の発明に係る施肥機であって、開閉蓋体の自由端縁部に沿わせて切断案内体を設けるとともに、切断案内体に沿って切断工具を摺動させることで肥料袋に肥料流出口が切欠開口されるようにしたことを特徴とする。
【００１６】
かかる施肥機では、切断案内体に沿って切断工具を摺動させるだけで、肥料袋に肥料流出口を簡単かつ堅実に切欠開口することができるため、この点からも、肥料の補給作業能率を向上させることができる。
【００１７】
請求項５記載の発明に係る施肥機は、請求項４項記載の発明に係る施肥機であって、ホッパ本体の開口部へ肥料を流出可能となる位置まで支持体を介して肥料袋が上昇回動された際に、肥料袋の肥料流出口は肥料袋の最下位置に配置されるようにしたことを特徴とする。
【００１８】
かかる施肥機では、ホッパ本体の開口部へ肥料を流出可能となる位置まで支持体を介して肥料袋が上昇回動された際に、肥料袋の肥料流出口が肥料袋の最下位置に配置されるようにしているため、肥料流出口の周辺に肥料が残留するのを防止することができる。そのため、肥料袋内の残留肥料を掻き出す等の煩雑な手間を解消することができる。
【発明の効果】
【００１９】
本発明によれば、開閉蓋体を補給直前に開蓋させて補給することで、肥料が雨に濡れ難いようにすることができる。しかも、肥料袋は支持体に支持されているため、楽に肥料の補給作業を行うことができる。
【図面の簡単な説明】
【００２０】
【図１】本発明に係る施肥装置を装備する乗用田植機の側面図。
【図２】本発明に係る施肥装置の拡大側面図。
【図３】本発明に係る施肥装置の拡大正面図。
【図４】本発明に係る施肥装置の一側半部の拡大平面図。
【図５】本発明に係る施肥装置の拡大説明図。
【図６】肥料補給作業の説明図。
【図７】他実施形態としての支持体の支持構造の拡大側面図。
【図８】他実施形態としての支持体の支持構造の拡大正面図。
【図９】図８のI-I線断面図。
【発明を実施するための形態】
【００２１】
図１に示すＡは、施肥機の一形態として、本発明に係る施肥装置Ｍを装備する乗用田植機である。以下に、乗用田植機Ａを説明した後に、本発明に係る施肥装置Ｍについて詳説する。
【００２２】
［乗用田植機Ａ］
乗用田植機Ａは、図１に示すように、牽引車としての走行装置１の後方に昇降機構２を介して植付装置３を昇降自在に取り付けている。そして、かかる乗用田植機Ａは、複数（本実施形態では６条）の植付作業を行うことができるようにしている。
【００２３】
〔走行装置１〕
走行装置１は、図１に示すように、下部体１１に上部体１２を載設して構成している。そして、下部体１１は、ミッションケース１６の左右側壁前部よりそれぞれ外側方へフロントアクスルケース１７,１７を延設し、各フロントアクスルケース１７,１７の外側端部に前車軸１８,１８を介して左右一対の前車輪１９,１９を取り付ける一方、リヤアクスルケース２０の左右外側端部に後車軸２１,２１を介して左右一対の後車輪２２,２２を取り付けて、上記ミッションケース１６の後部とリヤアクスルケース２０の中央部との間に、前後方向に伸延する連結フレーム２３を横架状に架設して形成している。ここで、連結フレーム２３は、断面四角形状でかつ前後方向に直状に伸延するパイプ状となして、連結フレーム２３上にはエンジン１５等からなる原動機部を搭載している。
【００２４】
また、エンジン１５の左側前部から外側方へ突設した出力軸２６と、ミッションケース１６の左側後部から外側方へ突設した入力軸２７との間には、プーリー２８,２９を介して伝動ベルト３０を巻回している。
【００２５】
ミッションケース１６の後部とリヤアクスルケース２０の右側前部との間には前後方向に伸延する伝動シャフト（図示せず）を介設している。図１に示す３４は植付装置３に動力を出力する第２動力取出軸である。図３に示す３６は施肥装置Ｍに動力を伝達する第１動力取出軸である。
【００２６】
このように構成して、エンジン１５→出力軸２６→プーリー２８→伝動ベルト３０→プーリー２９→入力軸２７→ミッションケース１６に動力を伝達する。そして、ミッションケース１６→フロントアクスルケース１７,１７→前車軸１８,１８→左右一対の前車輪１９,１９に動力を伝達するとともに、ミッションケース１６→伝動シャフト→リヤアクスルケース２０→後車軸２１,２１→左右一対の後車輪２２,２２に動力を伝達する。また、施肥装置Ｍには第１動力取出軸３６（図３参照）を介してエンジン１５から動力を伝達する。また、植付装置３には第２動力取出軸３４を介してエンジン１５から動力を伝達する。
【００２７】
上部体１２は、図１に示すように、前記した下部体１１上に車体カバー体４２を被覆状に張設している。そして、車体カバー体４２の前部にはハンドルコラム４５を立設し、ハンドルコラム４５の上端面部にハンドル４６を取り付けている。ハンドル４６の後方には座席４７を載置している。そして、座席４７は座部４７ａと背もたれ部４７ｂとから形成し、車体カバー体４２の中途部に枢支ブラケット４８を介して座部４７ａの下面前端部を枢支している。車体カバー体４２の後部には施肥装置Ｍを座席４７の直後方に位置させて配設している。
【００２８】
このように構成して、座席４７は、枢支ブラケット４８の枢支部を中心に前後方向に回動させることで、オペレータが着座可能な使用姿勢（図１に実線で示す）と、オペレータが着座不可能な不使用姿勢（図１に想像線で示す）とに姿勢変更自在としている。そして、座席４７を不使用姿勢に姿勢変更することで、施肥装置Ｍの直前方を広く開放して、後述する施肥装置Ｍの施肥ホッパ７６への補給作業がスムーズに行えるようにしている。
〔植付装置３〕
植付装置３は、図１に示すように、植付ミッションケース５０から植付センターケース５１を後方へ向けて延設している。そして、植付ミッションケース５０の左右側部には、それぞれ左右方向へ伸延する筒状の連結ケース５２,５２を介して、前後方向に伸延する植付サイドケース５３,５３の前部を連結している。植付センターケース５１と植付サイドケース５３,５３は左右方向に一定の間隔を開けて並列状に配置し、植付センターケース５１の前部と各植付サイドケース５３,５３の前部との間には連動シャフト５４,５４を介設して、これらケース５１,５３,５３を連動連結している。各ケース５１,５３,５３の左右側後部には左右一対のロータリケース（図示せず）を介して植付爪（図示せず）を取り付けている。これらケース５１,５３,５３上には、苗載台支持フレーム５７を介して、苗載台５８を前高後低の傾斜姿勢にて左右方向に往復横摺動自在に支持している。そして、苗載台５８の前面側（下面側）には苗載台５８を往復横摺動（横送り）させる横送り機構５９を配設して、同横送り機構５９に苗載台５８を連動連結している。苗載台５８上には６条分の苗マットを載置可能としている。植付ミッションケース５０には、入力軸５５を前方へ向けて突設している。そして、前記した走行装置１に設けた第２動力取出軸３４に、植付伝動シャフト６０を介して、上記入力軸５５を着脱自在に連動連結している。植付センターケース５１の下方にはセンターフロート６１を配置し、各植付サイドケース５３,５３の下方にはそれぞれサイドフロート６２,６２を配置している。
〔昇降機構２〕
昇降機構２は昇降リンク６３と昇降シリンダ（図示せず）とローリングシリンダ（図示せず）を具備している。このようにして、昇降機構２により走行装置１の後方に植付装置３を前後方向の軸線廻りにローリング自在かつ昇降自在に連結している。
【００２９】
上記のように構成した乗用田植機Ａでは、圃場内を走行しながら６条分の苗の植え付け作業を行うことができる。
［施肥装置Ｍ］
施肥装置Ｍは、図１に示すように、座席４７の直後方に位置させて、車体カバー体４２の後部に配設している。そして、施肥装置Ｍは、図２及び図３にも示すように、一方向（本実施形態では左右方向）に伸延する支持フレーム部７０にその伸延方向に沿わせて複数（本実施形態では６個）の繰り出し部７２を取り付け、各繰り出し部７２の上端開口部には複数（本実施形態では６個）のホッパ本体７３をそれぞれ連通連設する一方、各繰り出し部７２の下端開口部には複数（本実施形態では６個）の施肥ホース部７４をそれぞれ連通連結している。また、左側半部側の３個のホッパ本体７３は左右方向に一体的に連結して、３個のホッパ本体７３の各上面の開口部７７を単一の左側の開閉蓋体７５により開閉蓋して左側の施肥ホッパ７６を形成している。一方、右側半部側の３個のホッパ本体７３は左右方向に一体的に連結して、３個のホッパ本体７３の各上面の開口部７７を単一の右側の開閉蓋体７５により開閉蓋して右側の施肥ホッパ７６を形成している。
【００３０】
支持フレーム部７０は、左右一対の板状の取付体８１,８１を対面させて配置し、両取付体８１,８１の上前後部間に左右方向に直状に伸延する前後一対の上部フレーム形成体８２,８３を横架するとともに、両取付体８１,８１の下部間に左右方向に直状に伸延する下部フレーム形成体８４を横架して枠組形成している。８５は補強体である。また、両取付体８１,８１の下部間には、左右方向に直状に伸延する円管状の圧送風ダクト８６を横架して配設している。圧送風ダクト８６の左側端部には図示しない圧送風供給部を取り付けている。
【００３１】
かかる支持フレーム部７０に左右方向に隣接状態に支持された複数（本実施形態では６個）の繰り出し部７２には、左右方向に伸延する繰り出し軸８７を貫通状態に横架して、繰り出し軸８７に各繰り出し部７２内に配設した繰り出し機構（図示せず）を連動連結している。繰り出し軸８７の中央部にはギヤケース８８を介して第１動力取出軸３６の上端部（終端部）を連動連結している。
【００３２】
このように構成して、施肥装置Ｍでは、各繰り出し機構によりホッパ本体７３内に収容された粒状の肥料を施肥ホース部７４へ一定量ずつ繰り出すようにしている。そして、施肥ホース部７４の基部に間欠的に繰り出された肥料には圧送風供給部により圧送風ダクト８６を通して圧送風が圧送されて、肥料が施肥ホース部７４を通して各苗植付条に植設された苗の近傍位置に施肥されるようにしている。
【００３３】
上記のように構成した施肥装置Ｍにおいて、図５に示すように、施肥ホッパ７６の近傍に肥料袋Ｆを支持する支持体１００を反転回動自在に配設している。そして、肥料袋Ｆには肥料流出口ｆを開口させて、肥料流出口ｆからホッパ本体７３の開口部７７へ肥料Ｈを流出可能となる位置まで支持体１００を介して肥料袋Ｆが上昇回動される動作に、開閉蓋体７５が回動されて開蓋される動作を連動させて、一部だけ開蓋されたホッパ本体７３の開口部７７に肥料流出口ｆが指向するようにしている。以下に、かかる構成を具体的に説明する。
【００３４】
ホッパ本体７３は、上下面が開口する四角形筒状に形成した上部形成体９０と、上部形成体９０の下端縁部にから下方へ漸次縮径させて漏斗状に形成した下部形成体９１とから形成している。そして、３個のホッパ本体７３の上部形成体９０の側壁同士を左右幅方向に面接触させた状態で連設している。また、３個のホッパ本体７３の上面の開口部を開閉蓋する単一の開閉蓋体７５は、図２〜図４に示すように、左右方向に横長で扁平なキャップ状に形成しており、３個の各ホッパ本体７３の後壁上部に蝶番等の枢支体９２を介して後縁部７５ａを開閉蓋（回動）自在に枢支連結している。そして、開閉蓋体７５の前縁部はホッパ本体７３の前壁よりも一定幅Ｗ（図４参照）だけ前方へ延設して庇部７５ｂを形成している。このように一定幅Ｗだけ前方へ延設して形成した庇部７５ｂの先端縁部とホッパ本体７３の前壁上端縁部とは、図５に示す仮想同一垂直面Ｋに配置された場合において、開閉蓋体７５が、平面視にてホッパ本体７３の開口部７７の全面を閉塞するように形成している。ホッパ本体７３と開閉蓋体７５は、軽量かつ硬質材料で剛性の高い合成樹脂（例えば、ポリプロピレン）で成形して、支持体１００を堅実に保持する強度部材としても機能するようにしている。次に、支持体１００の構成について説明する。
【００３５】
〔支持体１００の構成の説明〕
支持体１００は、肥料Ｈを収容した肥料袋Ｆを載置可能に形成して、左右側の施肥ホッパ７６,７６にそれぞれ一つずつ取り付けるとともに、各支持体１００,１００は垂下姿勢と反転姿勢との間で姿勢変更可能としている。
【００３６】
すなわち、支持体１００は、図２〜図４に示すように、四角形板状の第１支持片１０１の先端縁部に、蝶番等の枢支片１０３を介して四角形板状の第２支持片１０２の基端縁部を枢支連結している。そして、第２支持片１０２は、第１支持片１０１に重合状態に折り畳んだ収納（不使用）姿勢（図２に想像線で示す）と、第２支持片１０２を第１支持片１０１から略直角に張り出した状態に展開した使用姿勢（図２に実線で示す）とに姿勢変更可能としている。１０４は第２支持片１０２を使用姿勢に保持する保持片である。
【００３７】
第１支持片１０１は、左右幅が３個分のホッパ本体７３の左右幅よりもやや幅狭で、上下幅がホッパ本体７３の上端縁の位置から施肥ホース部７４の下端部の位置までの縦幅よりもやや幅狭の四角形板状に形成して、第１支持片１０１の載置面内に肥料袋Ｆを横長状態に配置可能としている。
【００３８】
第２支持片１０２は、第１支持片１０１と左右幅が同一で、縦幅が略半分の四角形板状に形成して、第２支持片１０２の載置面内に肥料袋Ｆの端面を配置可能としている。
【００３９】
第１支持片１０１の右側端縁部の中途部には保持ベルト１０５の基端部を連結し、第１支持片１０１の左側端縁部の中途部に設けた係止片１０６に、保持ベルト１０５の先端部に複数個形成した係止孔１０７の内の一つを適宜着脱自在に係止している。つまり、保持ベルト１０５は、第１支持片１０１の左右側端縁部間において、収納（不使用）姿勢となした第２支持片１０２の上端部位置にて横架状に架け渡し可能となしている。
【００４０】
したがって、使用姿勢となした第２支持片１０２上に肥料袋Ｆを横長状の横向きに載置し、同状態にて保持ベルト１０５を肥料袋Ｆの中途部に架け渡すことで、肥料袋Ｆを支持体１００に保持させることができるとともに、肥料袋Ｆが内部に収容している粒状の肥料Ｈの流動性により下膨れ状に変形するのを防止して、肥料袋Ｆを所定の形状に保持させることができる。また、収納（不使用）姿勢となした第２支持片１０２の上端部位置に保持ベルト１０５を横架状に架け渡すことで、第２支持片１０２を収納（不使用）姿勢に保持させることができる。
【００４１】
施肥ホッパ７６を形成する左側のホッパ本体７３の前壁の左側上部に、左側枢支突片１１０を前方へ向けて突設するとともに、右側のホッパ本体７３の前壁の右側上部に、右側枢支突片１１１を前方へ向けて突設している。両枢支突片１１０,１１１の先端部間には第１支持片１０１の基端縁部を配置するとともに、左右方向に伸延する枢軸１１２を介して両枢支突片１１０,１１１間に第１支持片１０１の基端縁部を枢支している。
【００４２】
開閉蓋体７５に形成した庇部７５ｂの左右側端面部の前部には、左右一対の蓋側アーム片１１３,１１３を前方へ向けて突設している。一方、第１支持片１０１の左右側端縁部の中途部には、左右一対の支持片側アーム片１１４,１１４をそれぞれ外側方へ向けて突設している。そして、枢支連結ピン１１６を介して蓋側アーム片１１３の先端部と上下方向に伸延する連動リンク１１５の上端部を枢支連結するとともに、支持片側アーム片１１４の先端部と連動リンク１１５の下端部を枢支連結して、支持体１００の上昇回動動作に、開閉蓋体７５の回動開蓋動作を連動させるようにしている。したがって、支持体１００を上昇回動させるだけで、それに伴って開蓋されたホッパ本体７３内に堅実に肥料Ｈを補給することができて、肥料Ｈの補給作業能率を向上させることができる。
【００４３】
庇部７５ｂの前端縁部には、それに沿わせて切断案内体１２０を前方へ突出状に設けている。切断案内体１２０は、３個分のホッパ本体７３の左右幅と略同一横幅を有する平面視門型に形成して、庇部７５ｂの前端縁面と切断案内体１２０の内周面とで左右方向に伸延する細幅の切断工具挿入孔１２１を形成している。
【００４４】
このように構成して、切断工具挿入孔１２１中にカッター等の切断工具（図示せず）を上方から挿入して、切断案内体１２０に沿って切断工具を摺動させることで、支持体１００上に載置された肥料袋Ｆの上端面に左右方向に直状の肥料流出口ｆを整然と切欠開口することができる。この際、肥料流出口ｆは、図５に示すように、ホッパ本体７３の開口部７７へ肥料Ｈを流出可能となる位置まで支持体１００を介して肥料袋Ｆが上昇回動された位置において、肥料袋Ｆの最下位置に配置されるようにしている。つまり、第１支持片１０１に対面している肥料袋Ｆの後面部の上端縁部に肥料流出口ｆが形成されるようにして、肥料流出口ｆの周縁部に肥料Ｈが残留しないようにしている。
【００４５】
また、図５に示すように、第１支持片１０１とホッパ本体７３との間には肥料案内シート１２２を配置している。すなわち、肥料案内シート１２２は、弾性素材により各ホッパ本体７３の開口部７７の左右幅と略同一の左右幅を有する四角形シート状に形成して、第１支持片１０１の前面上部に左右方向に３枚の肥料案内シート１２２の前端縁部を並列状態に取り付けている。そして、各肥料案内シート１２２の後半部を各ホッパ本体７３の前壁内面に沿わせそれらの内部に垂下させて配置している。このように構成して、肥料袋Ｆの肥料流出口ｆから流出される肥料Ｈが肥料案内シート１２２の上面を滑動して堅実に開口部７７からホッパ本体７３内に補給されるようにしている。つまり、第１支持片１０１とホッパ本体７３との間に生じている隙間を肥料案内シート１２２により上方から被覆することで、肥料袋Ｆの肥料流出口ｆから流出された肥料Ｈがその隙間からホッパ本体７３の外に漏出するのを防止している。
【００４６】
本実施形態は上記のように構成しているものであり、次に、図６を参照しながら施肥ホッパ７６への肥料Ｈの補給作業を説明する。ここで、座席４７は、予め枢支部を中心に前方へ回動させて、オペレータが着座不可能な不使用姿勢（図１に想像線で示す）に姿勢変更することで、施肥装置Ｍの直前方を広く開放して、施肥装置Ｍの施肥ホッパ７６への補給作業がスムーズに行えるようにしておく。
【００４７】
（１）図６（ａ）に示すように、支持体１００の第１支持片１０１が下方へ垂下された位置において、保持ベルト１０５の架け渡し状態を解除するとともに、第２支持片１０２を収納姿勢から使用姿勢に姿勢変更する。続いて、第２支持片１０２上に肥料袋Ｆを横長状の横向きに載置するとともに、保持ベルト１０５を架け渡して支持体１００に肥料袋Ｆを保持する。かかる状態において、切断工具挿入孔１２１中にカッター等の切断工具を上方から挿入し、切断工具挿入孔１２１中の一側端から他側端に向けて、切断案内体１２０に沿って切断工具を摺動させることで、支持体１００上に載置された肥料袋Ｆの上端面に左右方向に直状の肥料流出口ｆを切欠開口する。この際、肥料流出口ｆは、肥料袋Ｆに簡単かつ堅実に切欠開口することができるため、この点からも、肥料Ｈの補給作業能率を向上させることができる。また、肥料袋Ｆの肥料流出口ｆは、肥料袋Ｆの最下位置に配置されているため、肥料流出口ｆの周辺に肥料Ｈが残留するのを防止することができる。そのため、肥料袋Ｆ内の残留肥料を掻き出す等の煩雑な手間を解消することができる。
【００４８】
（２）図６（ｂ）に示すように、支持体１００の基端縁部を中心に、その先端縁部を上方へ持ち上げる。この際、支持体１００が上方へ持ち上げられるにしたがって、連動リンク１１５を介して開閉蓋体７５の庇部７５ｂが上方へ押し上げられて、開閉蓋体７５が徐々に開蓋される。つまり、支持体１００を持ち上げ量に、開閉蓋体７５の開蓋量が比例する。
【００４９】
（３）図６（ｃ）に示すように、支持体１００の上方への持ち上げ動作に連動して開閉蓋体７５が回動されて一部だけ開蓋されるとともに、ホッパ本体７３の開口部７７に肥料流出口ｆを指向させることができる。そして、支持体１００上に載置された肥料袋Ｆの肥料流出口ｆから肥料Ｈが自然に流動を開始して流下する位置において、肥料袋Ｆの上面に開閉蓋体７５の庇部７５ｂの先端縁部が位置し、かかる庇部７５ｂの先端縁部がホッパ本体７３の前壁上端縁部の直上方に位置する。つまり、庇部７５ｂの先端縁部とホッパ本体７３の前壁上端縁部とが仮想同一垂直面Ｋに配置されて、開閉蓋体７５が、平面視にてホッパ本体７３の開口部７７の全面を閉塞する。
【００５０】
このように、肥料Ｈの補給に必要最小限の開蓋量だけ開閉蓋体７５を補給直前に開蓋させて、ホッパ本体７３内に肥料Ｈを補給することができるため、雨天時には、肥料袋Ｆから放出される肥料Ｈないしはホッパ本体７３内に補給された肥料Ｈが雨に濡れ難い。しかも、肥料袋Ｆは支持体１００に支持されているため、楽に肥料Ｈの補給作業を行うことができる。
【００５１】
（４）図６（ｄ）に示すように、晴天時には、雨天時の場合よりも支持体１００を大きく上方へ跳ね上げることで、ホッパ本体７３内に肥料Ｈを迅速に補給することができる。
【００５２】
［支持体を支持する構造の他実施形態の説明］
次に、図７〜図９を参照しながら支持体１００を支持する構造の他実施形態について説明する。
【００５３】
すなわち、本他実施形態では、図７〜図９に示すように、支持フレーム部７０の前側の上部フレーム形成体８２から左右一対の立ち上げアーム１２３,１２３をホッパ本体７３の前壁に沿わせて立ち上げ状に立設している。左右一対の立ち上げアーム１２３,１２３は、施肥ホッパの前面側において、支持体１００の左右幅よりも幅広で、かつ、施肥ホッパの左右幅よりも幅狭の間隔をあけて配置している。そして、立ち上げアーム１２３,１２３の上端は、庇部７５ｂの直下方位置に配置している。１２４は立ち上げアーム１２３,１２３の中途部間同士を連結する連結補強片である。
【００５４】
立ち上げアーム１２３,１２３の上端部間には第１支持片１０１の基端縁部を配置するとともに、左右方向に伸延する枢軸１１２を介して両立ち上げアーム１２３,１２３の上端部間に第１支持片１０１の基端縁部を枢支している。
【００５５】
開閉蓋体７５に形成した庇部７５ｂの左右側端面部の前部には、左右一対の蓋側アーム片１１３,１１３を前方へ向けて突設している。一方、第１支持片１０１の左右側端縁部の中途部には、左右一対の支持片側アーム片１１４,１１４をそれぞれ外側方へ向けて突設している。そして、各支持片側アーム片１１４,１１４の中途部には立ち上げアーム１２３,１２３との干渉を回避するための干渉回避用屈曲部１２５,１２５を形成している。また、蓋側アーム片１１３の先端部と支持片側アーム片１１４の先端部との間には、上下方向に伸延する連動リンク１１５の上下端部をそれぞれ枢支連結している。
【００５６】
このように、ホッパ本体７３に支持体１００を直接支持させることなく、支持フレーム部７０の前側の上部フレーム形成体８２から立ち上げて立設した左右一対の立ち上げアーム１２３,１２３に支持体１００を支持させるように構成することで、ホッパ本体７３に剛性を保持させる必要性やホッパ本体７３強度部材として機能させる必要性がなくなる。つまり、支持体１００の支持強度を向上させることができる。
【符号の説明】
【００５７】
Ａ  乗用田植機
Ｍ  施肥装置
Ｆ  肥料袋
Ｈ  肥料
ｆ  肥料流出口
１  走行装置
２  昇降装置
３  植付装置
７０  支持フレーム部
７２  繰り出し部
７３  ホッパ本体
７４  施肥ホース部
７７  開口部
１００  支持体
１０５  保持ベルト
【図１】
2014183790.tif 000003
【図２】
2014183790.tif 000004
【図３】
2014183790.tif 000005
【図４】
2014183790.tif 000006
【図５】
2014183790.tif 000007
【図６】
2014183790.tif 000008
【図７】
2014183790.tif 000009
【図８】
2014183790.tif 000010
【図９】
2014183790.tif 000011